(57)【要約】要約課題              使用者に任意の要望によりカラ撃ちを防止する機能を停止することができるカラ撃ち防止機能停止装置を提供することを目的とする。解決手段マガジンスプリングに付勢され弾丸を排出するための通路となる弾丸配置部に移動可能に配置されたフォロワー部が具備する検知係合部が、前記弾丸配置部における所定の位置に移動したときに前記検知係合部と係合して突出する動作をする検知移動部のその動作を阻止するための機能停止係合部と、を有し、前記機能停止係合部が、前記検知移動部と係合したときに、当該検知移動部の動作を阻止することで、前記検知移動部の突出する動作を阻止するカラ撃ち防止機能停止装置である。選択図          図１
2019058526.tif 000002
【特許請求の範囲】
【請求項１】
マガジンスプリングに付勢され弾丸を排出するための通路となる弾丸配置部に移動可能に配置されたフォロワー部が具備する検知係合部が、前記弾丸配置部における所定の位置に移動したときに前記検知係合部と係合して突出する動作をする検知移動部のその動作を阻止するための機能停止係合部と、を有し、
前記機能停止係合部が、前記検知移動部と係合したときに、当該検知移動部の動作を阻止することで、前記検知移動部の突出する動作を阻止するカラ撃ち防止機能停止装置。
【請求項２】
前記検知移動部は、前記検知係合部と係合する検知被係合部と、
前記検知被係合部と一体となる検知押し出し部と、
前記機能停止係合部と係合する検知突部と、を有し、
前記検知移動部における前記検知突部と前記機能停止係合部とが係合したときに、前記検知移動部の動作を阻止することで、当該検知移動部の突出する動作を阻止する請求項１記載のカラ撃ち防止機能停止装置。
【請求項３】
マガジンスプリングに付勢され弾丸を排出するための通路となる弾丸配置部に移動可能に配置されたフォロワー部が具備する検知係合部が、前記弾丸配置部における所定の位置に移動したときに前記検知係合部と係合して突出する動作をする検知移動部のその動作を阻止するための第２機能停止係合部と、を有し、
前記フォロワー部は、第２検知係合部をさらに具備し、前記第２検知係合部が前記第２機能停止係合部と係合したときに、フォロワー部の動作を阻止することで、前記検知移動部の突出する動作を阻止するカラ撃ち防止機能停止装置。
【請求項４】
前記検知移動部は、上下方向に移動するフォロワーリンク部と、
前記フォロワーリンク部に、前記機能停止係合部と係合する第３検知突部と、を有し、  前記機能停止係合部が、前記第３検知突部と係合したときに、前記フォロワーリンク部の上方向の移動を阻止することで、当該フォロワーリンク部の突出する動作を阻止する請求項１記載のカラ撃ち防止機能停止装置。
【請求項５】
前記請求項１から４のいずれか１項記載のカラ撃ち防止機能停止装置を有する弾倉部。
【請求項６】
前記請求項１から４のいずれか１項記載のカラ撃ち防止機能停止装置を有する電動ガン。
【請求項７】
前記請求項５記載の弾倉部を有する電動ガン。
【発明の詳細な説明】
【技術分野】
【０００１】
本発明は、電動ガンにおいて、カラ撃ちを防止する機能を停止することができるカラ撃ち防止機能停止装置に関するものである。
【背景技術】
【０００２】
いわゆる電動ガンはモータの回転を利用して、シリンダ内のピストンを駆動し、そのピストンの駆動力によって、そのシリンダ内の空気を噴射して弾丸を発射するものであり、トリガは、モータを駆動するための電気スイッチを入れるためのものである。【０００３】
従って、トリガを引き続けている間は、電気スイッチが入りの状態を継続しているためにモータが駆動しつづける。よって、ピストン運動が止まることはなく、弾倉内に弾丸が、無くなった状態であっても、シリンダ内の空気を噴射し続け、いわゆるカラ撃ちを続けるというものである。【０００４】
そこで、本出願人が出願した特開２０１０−２５５０１号において、電動銃における機械式通電停止装置が開示されている。上記装置は、銃腔後部の装弾部に通じる給弾経路に弾丸がないときには、弾丸を発射させる駆動部の回路を遮断して通電を停止するための装置として、給弾経路に移動可能に配置されかつ装弾部へ弾丸を送るために付勢された玉押し部材と、玉押し部材側の一部と一端部にて係合しその移動と連動するフォロワー部材と、フォロワー部材の動きに伴い通電時の位置から遮断時の位置へ移動可能でありかつ遮断時の位置への移動の過程においてタペット部材と係合し、タペット部材の移動に伴いスイッチをオフにするカットオフ部材と、駆動部のピストンの移動に伴い後退して装弾部に通じる給弾経路の給弾口を開く部分を有しかつその給弾口を閉じる方向への付勢力により上記カットオフ部材を移動させる上記のタペット部材と、カットオフ部材との係合により移動して接点が開き、リセット操作により接点を閉じる上記のスイッチとを備えて構成するというものである。【０００５】
上記のとおり、弾丸がなくなったことを検知する弾丸検知装置は、電動ガンにおける機械式通電停止装置の一部として開示されている。これは、給弾経路に移動可能に配置されかつ装弾部へ弾丸を送るために付勢された玉押し部材と、玉押し部材側の一部と一端部にて係合しその移動と連動するフォロワー部材と、フォロワー部材の動きに伴い通電時の位置から遮断時の位置へ移動可能でありかつ遮断時の位置への移動の過程においてタペット部材と係合し、タペット部材の移動に伴いスイッチをオフにするカットオフ部材と、を有するものである。【０００６】
さて、上記電動ガンにおいて、使用者が、弾丸がなくなった場合または、弾丸が無い状態でのいわゆるカラ撃ちを行いたいという要望がある。すなわち試射する際の感触または、リコイルショックを体感するためにこのような要望が多い。【０００７】
しかしながら、従来の機械式通電停止装置を有しているものは、自動的にカラ撃ちを防止するものであり、このような使用者の要望にこたえるものではない。
【先行技術文献】
【特許文献】
【０００８】
【特許文献１】特開２０１０−２５５０１号公報
【発明の概要】
【発明が解決しようとする課題】
【０００９】
本発明は前記の点に着目してなされたもので、その課題は、使用者に任意の要望によりカラ撃ちを防止する機能を停止することができるカラ撃ち防止機能停止装置を提供することを目的とする。【００１０】
第１観点におけるカラ撃ちを防止する機能を停止することができるカラ撃ち防止機能停止装置は、マガジンスプリングに付勢され弾丸を排出するための通路となる弾丸配置部に移動可能に配置されたフォロワー部が具備する検知係合部が、弾丸配置部における所定の位置に移動したときに検知係合部と係合して突出する動作をする検知移動部のその動作を阻止するための機能停止係合部と、を有し、機能停止係合部が、前記検知移動部と係合したときに、当該検知移動部の動作を阻止することで、検知移動部の突出する動作を阻止するというものである。【００１１】
第２観点におけるカラ撃ちを防止する機能を停止することができるカラ撃ち防止機能停止装置は、第１観点において、検知移動部は、前記検知係合部と係合する検知被係合部と、検知被係合部と一体となる検知押し出し部と、機能停止係合部と係合する検知突部と、を有し、検知移動部における検知突部と機能停止係合部とが係合したときに、検知移動部の動作を阻止することで、当該検知移動部の突出する動作を阻止するというものである。【００１２】
第３観点におけるカラ撃ちを防止する機能を停止することができるカラ撃ち防止機能停止装置は、マガジンスプリングに付勢され弾丸を排出するための通路となる弾丸配置部に移動可能に配置されたフォロワー部が具備する検知係合部が、前記弾丸配置部における所定の位置に移動したときに前記検知係合部と係合して突出する動作をする検知移動部のその動作を阻止するための第２機能停止係合部と、を有し、前記フォロワー部は、第２検知係合部をさらに具備し、前記第２検知係合部が前記第２機能停止係合部と係合したときに、フォロワー部の動作を阻止することで、前記検知移動部の突出する動作を阻止するというものである。【００１３】
第４観点におけるカラ撃ちを防止する機能を停止することができるカラ撃ち防止機能停止装置は、第１観点において、検知移動部は、上下方向に移動するフォロワーリンク部と、フォロワーリンク部に、機能停止係合部と係合する第３検知突部と、を有し、機能停止係合部が、第３検知突部と係合したときに、フォロワーリンク部の上方向の移動を阻止することで、当該フォロワーリンク部の突出する動作を阻止するというものである。【００１４】
第５観点における弾倉部は、第１観点から第４観点におけるカラ撃ちを防止する機能を停止することができるカラ撃ち防止機能停止装置を有するものである。【００１５】
第６観点における電動ガンは、第１観点から第４観点におけるカラ撃ちを防止する機能を停止することができるカラ撃ち防止機能停止装置を有するものである。【００１６】
第７観点における電動ガンは、第５観点に置ける弾倉部を有するものである。
【発明の効果】
【００１７】
本発明によれば、使用者に任意の要望によりカラ撃ちを防止する機能を停止することができるカラ撃ち防止機能停止装置を提供することができる。
【図面の簡単な説明】
【００１８】
【図１】銃口を左に向けた状態の電動ガンの側面図である。
【図２】銃口を右に向けた状態の電動ガンの側面図である。
【図３】弾倉内に複数の弾丸を有する場合の弾倉部の左側面図である。
【図４】弾倉内において弾丸が、カラになった状態の弾倉部の左側面図である。
【図５Ａ】弾倉内において弾丸がカラになり、カラ打ち防止機能停止装置を、−ｘ方向に移動した状態の弾倉部の左側面図である。
【図５Ｂ】図５Ａの右側面図である。
【図６】弾倉内において弾丸が、カラになった状態の弾倉部の左側面図である。
【図７】弾倉内において弾丸が、カラになり、第２カラ撃ち防止機能停止装置を-ｘ方向に移動した状態の弾倉部の左側面図である。
【図８】弾倉内において弾丸が、カラになった状態の弾倉部の左側面図である。
【図９】弾倉内において弾丸が、カラになり、カラ撃ち防止機能停止装置を-ｘ方向に移動した弾倉部の左側面図である。
【図１０】弾倉内において弾丸が、カラになった状態の弾倉部の右側面図である。
【図１１】弾倉内において弾丸が、カラになり、カラ撃ち防止機能停止装置を-ｘ方向に移動した弾倉部の右側面図である。
【図１２】銃口を左に向けた状態の電動ガンの側面図である。
【図１３Ａ】図１２の拡大図である。
【図１３Ｂ】図１３Ａの概念図である。
【図１４Ａ】図１２の拡大底面図である。
【図１４Ｂ】図１４Ａの概念図である。
【図１５】銃口を右に向けた状態の電動ガンの拡大側面図である。
【図１６Ａ】モータへの通電が阻止された状態における銃口を左に向けた電動ガンの拡大底面図である。
【図１６Ｂ】図１６Ａの概念図である。
【図１７】モータへの通電が阻止された状態における銃口を右に向けた電動ガンの側面図である。
【図１８】モータへ、再び通電された状態における銃口を右に向けた電動ガンの側面図である。
【図１９】モータへ、再び通電された状態における銃口を左に向けた電動ガンの拡大底面図である。
【発明を実施するための形態】
【００１９】
本実施例における弾丸検知装置３００は、後述する電動ガン１０に配置したカラ撃ち防止装置２００に好適なものであり、その弾丸検知装置３００を説明する前に、カラ撃ち防止装置２００を有する電動ガン１０について説明する。電動ガン１０は、後述するトリガ２０を引いたときに接触して通電する第１接点２１とは別に、後述するメカボックスにおける筐体１６の外部にスイッチ２０１を設け、弾倉部５００内の弾丸Ｇが空になったときに、いわゆるカラ撃ちを防止するために、通電停止部２０２を配置し、この通電停止部２０２が、このスイッチ２０１を切断するというものである（図１、２参照）。
【００２０】
この第１接点２１とスイッチ２０１は、配線Ｓによって直列に接続されており、これらの第１接点２１とスイッチ２０１のいずれも通電したときに、弾丸Ｇが発射され、弾丸Ｇが無くなった場合にこの通電停止部２０２がスイッチ２０１の通電を絶つか、引いていたトリガ２０を戻すかのいずれか一方または双方により、カラ撃ちを防止することができるというものである（図１、２参照）。
【００２１】
まず、電動ガン１０における弾丸Ｇを発射するための機関部１５の構造について説明する。機関部１５は、筐体１６内に配置されている。また、機関部１５は、トリガ２０と、第１接点２１と、モータ２２と、モータギア２３とベベルギア２４と、ギア２５とセクタギア２６と、ピストン３０と、そのピストン３０が有するラック部３１と、そのピストン３０を-ｘ方向に付勢するスプリング３２を有する。ここで、機関部１５を有する筐体１６をメカボックスということがある。
【００２２】
図示しない使用者が、トリガ２０を引くと、第１接点２１が接し、バッテリー１００からの電気がモータ２２に流れ、それによってモータ２２が回転する。その回転によってそのモータ２２の出力軸に配置されたモータギア２３が回転し、そのモータギア２３とかみ合うベベルギア２４が回転し、そのべべルギア２４とかみ合うギア２５が回転し、そのギア２５とかみ合うセクタギア２６が回転する。
【００２３】
セクタギア２６は、ピストン３０におけるラック部３１とかみ合うことでそのピストン３０は、＋ｘ方向に移動する。それに伴い、そのピストン３０は、スプリング３２を圧縮する。
【００２４】
セクタギア２６は、歯車の歯を一部に有しない無歯部を有しているために、そのセクタギア２６における無歯部が、ラック部３１と対向する位置に回転すると、そのラック部３１と、セクタギア２６との係合がはずれ、スプリング３２が自然長に回復する力によってシリンダ４０内に配置されたピストン３０が急速に-ｘ方向に移動し、シリンダ４０内の空気を、ノズル３３の先端にあらかじめ配置されている弾丸Ｇに噴射して、その空気でその弾丸Ｇを発射するというものである。
【００２５】
また、この電動ガン１０は、実銃において発生する弾丸発射時における反作用によって生じる衝撃を擬似的に再現するためのいわゆるリコイルショックを発生させるためにリコイルショック発生機構５０を具備している。よって、これについても説明する。リコイルショック発生機構５０は、ピストン３０におけるピストン係合部５１と、そのピストン係合部５１と係合するリコイルウエイト５２とを有し、リコイルウエイト５２はリコイルスプリング５３によって、−ｘ方向に付勢されている。なお、リコイルウエイト５２は衝撃を擬似的に再現するために所定の質量を有することが好ましい。
【００２６】
上記のとおり、シリンダ４０内に配置されたピストン３０が急速に-ｘ方向に移動し、シリンダ４０内の空気を、ノズル３３の先端にあらかじめ配置されている弾丸Ｇに噴射して、その空気でその弾丸Ｇを発射する。そのときに、ピストン３０におけるピストン係合部５１とそのピストン係合部５１と係合するリコイルウエイト５２が、蓄圧されたリコイルスプリング５３が自然長に回復する力によって、ピストン３０と同様に急速に-ｘ方向に移動し、そのリコイルウエイト５２が先端部５４と衝突して衝撃を発生させ、いわゆるリコイルショックを得る。
【００２７】
その後再びピストン３０が、＋ｘ方向に移動するのに伴い、そのピストン３０におけるピストン係合部５１と係合するリコイルウエイト５２も＋ｘ方向に移動し、リコイルスプリング５３を蓄圧する。
【００２８】
その後再び、上記と同様にシリンダ４０内に配置されたピストン３０が急速に-ｘ方向に移動し、蓄圧されたリコイルスプリング５３が自然長に回復する力によって再びリコイルショックを得る。このように、トリガ２０を引いたときに、弾丸Ｇを発射するたびにいわゆるリコイルショックを得る。また、そのリコイルウエイト５２に連結されているリコイルバー６０を有する。また、電動ガン１０はこのリコイルウエイト５２と、リコイルバー６０とそのリコイルバー６０に連結されているリコイルプレート６１とを有し、それら、リコイルウエイト５２と、リコイルバー６０とリコイルプレート６１と、をピストン連動部２５０と称することがある。ピストン連動部２５０は文字通りピストン３０の動きに連動するものであり、弾丸Ｇの発射に応じて、−ｘ方向及び＋ｘ方向に往復運動をするものである。
【００２９】
上記のとおり、カラ撃ち防止装置２００は、第１接点２１と配線Ｓによって直列に接続されているその第１接点２１とは別のスイッチ２０１を上記のとおりメカボックスにおける筐体１６の外部に有し、弾丸Ｇが撃ち終わり、弾倉部５００に弾丸Ｇがなくなったことを、本実施例における弾丸検知装置３００が検知し、通電停止部２０２におけるスイッチ切断部２７０によって、スイッチ２０１を切断することでモータ２２の通電を遮断するというものであり、スイッチ切断部２７０は、ピストン３０の動きによって駆動するピストン連動部２５０によって切断されるというものである。従って、上記のとおり、トリガ２０を引いて、第１接点２１が接したままであっても、その第１接点２１と直列に接続されているスイッチ２０１が切断されることで、カラ撃ちが防止できるというものである。
【００３０】
そこで、弾倉部５００に弾丸Ｇがなくなったことを検知する本実施例における弾丸検知装置３００について説明する。弾丸検知装置３００は弾倉部５００に配置することが好ましい。そこで、まず弾倉部５００の構成について説明し、その上で弾丸検知装置３００について説明する。
【００３１】
弾倉部５００は、弾倉本体部５０１を有し、それは、いわゆる弾丸Ｇを電動ガン１０に供給するマガジンとしての外郭を構成するものである。また、弾丸配置部５０２は、複数の弾丸Ｇを配置し、電動ガン１０の内部にその弾丸Ｇを送り込むための通路となるものであって、弾丸Ｇの幅にその弾丸配置部５０２の幅が設定されている。弾丸配置部５０２においては、複数の弾丸Ｇを開口部５０３方向（＋ｙ方向）へ押し上げるためのマガジンスプリング５０５と、そのマガジンスプリング５０５に付勢されたフォロワー部５１０と、を有する。
【００３２】
従って、フォロワー部５１０は、マガジンスプリング５０５に付勢された第１フォロワー５１１と、その第１フォロワー５１１に付勢された第２フォロワー５１２と、その第２フォロワー５１２に付勢された第３フォロワー５１３と、を有し、上述のとおり弾丸Ｇは常に開口部５０３の方向（＋ｙ方向）に付勢されている。すなわち、マガジンスプリング５０５は、フォロワー部５１０における第１フォロワー５１１を押圧している。また、第２フォロワー５１２と、第１フォロワー５１１とは、いずれかに軸部を有し、他方に軸受け部を有しそれらが嵌合して接続されている。従って、弾丸配置部５０２が、仮に曲線状であった場合にその曲線状に追従できるように、折り曲げ可能にその第２フォロワー５１２と、第１フォロワー５１１と、が接続されている。また、第３フォロワー５１３は、第２フォロワー５１２に接することで、その第２フォロワー５１２によって、押圧されている。
【００３３】
なお、マガジンスプリング５０５の下端部５０５ａは、弾丸配置部５０２の端部５０２ａに配置され、マガジンスプリング５０５のスプリング上端部５０５ｂは、フォロワー部５１０における第１フォロワー５１１に接続されている。また、電動ガン１０から弾倉部５００を外した際に（図示せず）、弾丸Ｇの飛び出しを防止するために、弾丸係止部５１５が配置され、弾丸係止スプリング５１６によって、＋ｘ方向に付勢されている。
【００３４】
すなわち、上記構成のこのような弾倉部５００に弾丸Ｇを複数詰め込めると、その複数の弾丸Ｇによって、マガジンスプリング５０５が圧縮され、弾丸係止スプリング５１６によって、＋ｘ方向に付勢されている弾丸係止部５１５によって、複数の弾丸Ｇの最も上方に配置されている弾丸Ｇの飛び出しが防止され、それら複数の弾丸Ｇがその弾倉部５００内に配置される。また、弾丸係止部５１５は、弾倉５００を電動ガン１０にセットした際に、チャンバー３４（図１参照）によって、その弾丸係止部５１５が、−ｘ方向に押圧され、その弾丸係止部５１５と、弾丸Ｇとの係合が解除される。これにより弾丸Ｇが、電動ガン１０に装填される。なお、図３、４、５Ａにおいて弾丸係止部５１５は、弾丸Ｇとの係合が解除された状態である。
【００３５】
本実施例において、弾丸検知装置３００は弾倉部５００に配置され、フォロワー部５１０における第１フォロワー５１１に配置されている検知係合部３０１と、その検知係合部３０１の上昇を受けて弾丸が無くなったことを検知するために突出する検知移動部３１０を有する。また、検知係合部３０１と検知移動部３１０と、が係合すると、検知移動部３１０が、移動して突出する動作をするというものである。
【００３６】
すなわち検知移動部３１０は、検知被係合部３１１と、その検知被係合部３１１と所定の角度すなわち本実施例においてはほぼ９０度の角度で配置された、検知押し出し部３１２と、検知軸部３１３と、その検知押し出し部３１２と検知軸部３１３との間に配置された薄板状で三角形状の第１本体部３３０を有する。従って、検知被係合部３１１と、検知押し出し部３１２と、検知軸部３１３と、第１本体部３３０と、は一体であり、それらは検知移動部３１０を構成している。また、検知移動部３１０は、検知軸部３１３を軸として揺動するように回転する（図３参照）。
【００３７】
弾倉部５００内に配置された弾丸Ｇがすべて撃ち終わると、弾倉部５００内に配置された弾丸Ｇが無くなり、マガジンスプリング５０５が、その弾丸配置部５０２の長さより十分に長い自然長に回復しようとして、フォロワー部５１０における第１フォロワー５１１を開口部５０３方向に押し上げる。
【００３８】
それと共に、マガジンスプリング５０５のスプリング上端部５０５ｂに接続されている第１フォロワー５１１が所定の位置に上昇し、第１フォロワー５１１に配置されている検知係合部３０１が、検知移動部３１０における検知被係合部３１１を反時計回りに回転させ、その検知被係合部３１１と一体の検知押し出し部３１２を反時計回りに回転させ、弾倉部５００内から飛び出すように突出させる。このように弾倉部５００内に配置された弾丸Ｇがすべて撃ち出されると、検知押し出し部３１２を弾倉部５００内から突出させることで弾丸Ｇがカラになったことを検知するものである（図４参照）。その場合に開口部５０３から、第３フォロワー５１３の上端部５１３ａが突出する状態である。本実施例においては、検知押し出し部３１２を弾倉部５００内から飛び出すように突出させようとする位置は、メカボックスにおける筐体１６とは弾丸配置部５０２に対し、反対の位置（−ｘ方向である）である（図１参照）。すなわち、メカボックスにおける筐体１６の位置は、弾丸配置部５０２に対しトリガ２０の方向（＋ｘ方向である）に、配置したものである。一方で、弾丸検知装置３００における検知押し出し部３１２は、その筐体１６の外部に配置したスイッチ２０１を切断するために、弾丸の有無を検知しようとするものであるので、その検知押し出し部３１２は、弾丸配置部５０２に対し、トリガ２０の位置とは反対の位置（−ｘ方向である）に配置されている。なお、上記の所定の位置とは、弾丸配置部５０２に弾丸Ｇが無くなったときに、マガジンスプリング５０５の付勢力によってフォロワー部５１０が移動し、そのフォロワー部５１０における第１フォロワー５１１に配置されている検知係合部３０１と、検知移動部３１０における検知被係合部３１１と、が係合する位置である。従って、本実施例においては、フォロワー部５１０は、上記のとおり、第１フォロワー５１１と、第２フォロワー５１２と、第３フォロワー５１３と、を有し、検知係合部３０１は、第１フォロワー５１１に配置されているが、その検知係合部３０１を、たとえば第２フォロワー５１２または、第３フォロワー５１３に配置することも可能である。
【００３９】
なお、弾丸検知装置３００の機能を停止させるために、カラ撃ち防止機能停止装置３６０を有している。これは、検知移動部３１０における検知被係合部３１１に配置された検知突部３５０と、カラ撃ち防止機能停止装置３６０における機能停止係合部３６１と係合して、検知移動部３１０における検知押し出し部３１２を、弾倉部５００の外部にあまり突出させる動作をすることなく、その弾倉部５００内にほぼ留めておくというものである。これにより後述のカラ撃ち防止装置２００の機能を停止することができるので、弾丸Ｇが、その弾丸配置部５０２から無くなってカラとなった状態であっても、いわゆるカラ撃ちをすることができる。これは、特にリコイルショックを具備する電動ガンの動作確認を、弾丸Ｇが弾倉部５００に充填されていない状態で行うことができるので安全に資するとともに、リコイルショックのみを体験したい使用者にとって好適である。
【００４０】
すなわち、図４の状態からカラ撃ち防止機能停止装置３６０を−ｘ方向にスライド移動させる。カラ撃ち防止機能停止装置３６０を−ｘ方向にスライド移動させた状態が図５Ａ、Ｂである。この状態において、カラ撃ち防止機能停止装置３６０における位置係合部３６５が、弾倉部５００における第１溝部５５１との係合から脱し、第２溝部５５２と係合する。このときにカラ撃ち防止機能停止装置３６０における機能停止係合部３６１が、検知移動部３１０における検知被係合部３１１に配置された検知突部３５０と係合する。上記のとおり、検知移動部３１０は、カラ撃ち防止機能停止装置３６０によって、図５Ａのｘｙ平面上において、時計回りに押し下げられ、その検知被係合部３１１と一体の検知押し出し部３１２は、弾倉本体部５０１の外部にあまり突出させることなく留まっている状態である。
【００４１】
このような状態において、弾丸Ｇを打ちつくし、弾丸配置部５０２から弾丸Ｇがなくなった場合に、上述のとおり、フォロワー部５１０が上昇し、そのフォロワー部５１０における第１フォロワー５１１に配置されている検知係合部３０１が、検知移動部３１０における検知被係合部３１１と係合するものの、その検知移動部３１０における上記回転（図５Ａにおいては反時計回りの回転）が、カラ撃ち防止機能停止装置３６０によって阻止され、検知移動部３１０における検知押し出し部３１２を、弾倉部５００の外部にあまり突出させることなく、その弾倉部５００における弾倉本体部５０１内にほぼ留めておくというものである。この場合において、開口部５０３から、第３フォロワー５１３の上端部５１３ａが突出せず、その開口部５０３内にその上端部５１３ａが留まっている状態である。
【００４２】
また、図５Ａ、Ｂの状態からカラ撃ち防止機能停止装置３６０を+ｘ方向にスライド移動させる。カラ撃ち防止機能停止装置３６０を+ｘ方向にスライド移動させると、カラ撃ち防止機能停止装置３６０における位置係合部３６５が、弾倉部５００における第２溝部５５２から外れて第１溝部５５１と係合する。このときにカラ撃ち防止機能停止装置３６０における機能停止係合部３６１が、検知移動部３１０における検知被係合部３１１に配置された検知突部３５０との係合を脱する。このように、カラ撃ち防止機能停止装置３６０を移動させることで、カラ撃ち防止機能停止装置３６０における機能停止係合部３６１が、検知移動部３１０における検知被係合部３１１と係脱可能に配置されているのである。また、カラ撃ち防止機能停止装置３６０は、溝部３６６を有する。これにより、位置係合部３６５が復元可能に弾性変形するために、その位置係合部３６５が第１溝部５５１および、第２溝部５５２と係合すること、または、それらから脱するのに好適である（図４参照）。
【００４３】
なお、図５Ｂにおいて、検知突部３５０は、図面手前側に突出する構成であり、カラ撃ち防止機能停止装置３６０における位置係合部３６５が、弾倉部５００における第１溝部５５１と係合したときは、弾丸検知装置３００の機能を停止することがなく、第２溝部５５２と係合したときは、弾丸検知装置３００の機能を停止するものである（図４、５Ａ、Ｂ参照）。また、本実施例において、弾丸検知装置３００は弾倉部５００に配置されているが、たとえば、上記弾倉部５００の各構成を電動ガン１０に配置すれば、それに弾丸検知装置３００を配置することも可能である。このように従来のメカボックスを変更することなく弾丸Ｇがカラになった場合にモータの回転を停止することができる後述するカラ撃ち防止装置２００に好適な、弾丸Ｇがなくなったことを検知する弾丸検知装置３００を提供することができる。
【００４４】
また、第２実施例における第２弾丸検知装置３００Ａについて、弾丸検知装置３００との相違点のみ説明する。なお、共通する部分については符号のみ付しその説明は省略する。第２弾丸検知装置３００Ａは、フォロワー部５１０における第１フォロワー５１１に第２検知係合部３０２が配置されている点が異なる。また、第２検知移動部３１０Ａは検知移動部３１０と対比して検知突部３５０を有していない点が異なる。さらに第２カラ撃ち防止機能停止装置３６０Ａは、第２検知係合部３０２と係合するための、第２機能停止係合部３６７を有する点で異なる（図６参照）。
【００４５】
上記第２検知係合部３０２は、第１フォロワー５１１において、水平に張り出すように配置され、第１フォロワー５１１を挟むように検知係合部３０１の反対側に配置されている。また、第１フォロワー５１１と検知係合部３０１と第２検知係合部３０２とは、一体をなすように構成されている。
【００４６】
また、第２カラ撃ち防止機能停止装置３６０Ａに配置した、第２機能停止係合部３６７は、第２検知係合部３０２と係合するためのものであり、下方に突出するほぼ台形状を呈しその下端部は、第２機能停止係合端部３６７ａを有し、上記第２検知係合部３０２と係合する。
【００４７】
すなわち、弾丸Ｇを撃ちつくし、弾丸配置部５０２から弾丸Ｇがなくなった場合に、上述のとおり、フォロワー部５１０が上昇し、そのフォロワー部５１０における第１フォロワー５１１に配置されている検知係合部３０１が、第２検知移動部３１０Ａにおける検知被係合部３１１と係合しようとする。このとき、あらかじめ第２カラ撃ち防止機能停止装置３６０Ａを−ｘ方向にスライド移動させる。この状態において、第２カラ撃ち防止機能停止装置３６０Ａにおける位置係合部３６５が、弾倉部５００における第１溝部５５１との係合から脱し、第２溝部５５２と係合する。
【００４８】
下方に突出する第２機能停止係合端部３６７ａは、−ｘ方向に移動しているときに下方に突出する第２機能停止係合端部３６７ａと、上記第２検知係合部３０２と、が係合する。これによって、マガジンスプリング５０５の付勢力によって上昇しようとするフォロワー部５１０の移動が阻止される。フォロワー部５１０の移動が阻止されることにより、フォロワー部５１０における第１フォロワー５１１に配置されている検知係合部３０１が、第２検知移動部３１０Ａにおける検知被係合部３１１と係合することなく、第２弾丸検知装置３００Ａにおける第２検知移動部３１０Ａが突出しない状態が維持される。それにより、その第２検知移動部３１０Ａの突出する動作が阻止される（図７参照）。なお、第２実施例における第２弾丸検知装置３００Ａおよび第２カラ撃ち防止機能停止装置３６０Ａを弾倉部５００に配置できることは言うまでもなく、またその弾倉部５００を電動ガン１０に配置できることも言うまでもない。さらに、第２実施例における第２弾丸検知装置３００Ａおよび第２カラ撃ち防止機能停止装置３６０Ａを、直接電動ガン１０に配置できることも言うまでもない。
【００４９】
また、第３実施例における第３弾丸検知装置３００Ｂについて説明する。第３弾丸検知装置３００Ｂは、検知係合部３０１と第３検知移動部３１０Ｂを有する。検知係合部３０１については上述の通りであり、本実施例における弾丸検知装置３００における検知係合部３０１と機能の上では変わることはない（図８参照）。従って、大きさ、長さ、寸法、形状は変更されうる。
【００５０】
第３検知移動部３１０Ｂは、斜め上下方向に移動するフォロワーリンク部３５１と、そのフォロワーリンク部３５１が上下動する軌道を規定するフォロワーリンク配置部３５２と、を有する。フォロワーリンク配置部３５２は、図９において図面手前側に突出する細長い突状に構成されたものであり、図示しない細長い溝部に摺動可能に嵌合し、その図９において＋ｙを上方とすると、左斜め上方に移動する軌道を規定するものである。また、フォロワーリンク部３５１の下端部付近に第３検知突部３５０Ｂを有している。
【００５１】
すなわち、弾丸Ｇを打ちつくし、弾丸配置部５０２から弾丸Ｇがなくなった場合に、上述のとおり、フォロワー部５１０が上昇し、そのフォロワー部５１０における第１フォロワー５１１に配置されている検知係合部３０１が、フォロワーリンク部３５１をフォロワーリンク配置部３５２に沿って斜め上方に押し上げる。これによってフォロワーリンク部３５１が移動し、フォロワーリンク部３５１の先端部が弾倉部５００から突出する（図８参照）。
【００５２】
なお、第３弾丸検知装置３００Ｂの機能を停止させるために、カラ撃ち防止機能停止装置３６０を有している。すなわち、カラ撃ち防止機能停止装置３６０を−ｘ方向にスライド移動させる（図９参照）。この状態において、カラ撃ち防止機能停止装置３６０における位置係合部３６５が、弾倉部５００における第１溝部５５１との係合から脱し、第２溝部５５２と係合する。このときにカラ撃ち防止機能停止装置３６０における機能停止係合部３６１が、フォロワーリンク部３５１における第３検知突部３５０Ｂと係合する。これにより、フォロワーリンク部３５１が、弾倉部５００の内部から外部にあまり突出させる動作をすることなく、その弾倉部５００内にそのフォロワーリンク部３５１を、ほぼ留めておくことができるというものである（図９、１０、１１参照）。なお、フォロワーリンク部３５１が、弾倉部５００の内部から外部に突出させる動作をすることなく、その弾倉部５００内にそのフォロワーリンク部３５１を、完全にとどめておいても良い。また、第３実施例における第３弾丸検知装置３００Ｂおよびカラ撃ち防止機能停止装置３６０を弾倉部５００に配置できることは言うまでもなく、またその弾倉部５００を電動ガン１０に配置できることも言うまでもない。さらに、第３実施例における第３弾丸検知装置３００Ｂおよびカラ撃ち防止機能停止装置３６０を、直接電動ガン１０に配置できることもいうまでもない。
【００５３】
次に電動ガン１０におけるカラ撃ち防止装置２００について説明する。カラ撃ち防止装置２００は、上記のとおり、筐体１６の外部にスイッチ２０１を設け、弾倉部５００の弾丸Ｇがカラになったときに、いわゆるカラ撃ちを防止するために、後述する通電停止部２０２が、このスイッチ２０１の接触を切断するという構成である。従って、上述の検知押し出し部３１２が突出したことを受けて、通電停止部２０２を作動させてこのスイッチ２０１の接触を切断するという構成である。
【００５４】
通電停止部２０２は、検知押し出し部３１２が、弾倉部５００から突出した動作を受けるための、検知受け部２１０と、ピストン３０の動きに連動するピストン連動部２５０と、スイッチ２０１の接点を引き離すためのスイッチ切断部２７０とを有するものである（図１２参照）。検知受け部２１０は、第１検知受け部２１１と第２検知受け部２１２とを有し、検知押し出し部３１２の−ｘ方向に移動する動作を受けるものであり、第１検知受け部２１１は、検知押し出し部３１２の−ｘ方向に移動する動作を受けて、−ｘ方向に移動する（図１２、１３Ａ、Ｂ参照）。
【００５５】
第２検知受け部２１２は、回転可能に軸部２１３によって軸止されている。第２検知受け部２１２における突起部２１２ａは、検知押し出し部３１２の先端部３１２ａの押圧を受けた第１検知受け部２１１の先端部分２１１ａによってさらに押圧される。底面図である図１４Ａ、Ｂによれば、その第２検知受け部２１２はｘｚ平面上において、時計回りに回転する。これにより、第２検知受け部２１２における他端部２１２ｂもｘｚ平面上に時計回りに回転することで、その他端部２１２ｂが、−ｘ方向から＋ｘ方向に往復運動するリコイルプレート６１の軌道に突出する。すなわち、ピストン３０が−ｘ方向から＋ｘ方向に往復運動することで、これと連動するピストン連動部２５０におけるリコイルプレート６１も−ｘ方向から＋Ｘ方向に往復運動する。また上記のとおり、その他端部２１２ｂがその軌道に突出する。すなわち、図１４Ａ、Ｂにおいて第１検知受け部２１１に押圧されることで、第２検知受け部２１２は、他端部２１２ｂを図面上方にした、いわゆる屹立した状態を呈しており、その他端部２１２ｂがリコイルプレート６１の往復運動（−ｘ方向と＋ｘ方向）する軌道に突出している。
【００５６】
図１５は、図１４Ａ、Ｂの状態において電動ガン１０の銃口を右方に向けた状態の拡大側面図である。この状態において後述するスイッチ切断部２７０におけるストッププレート２８０は、スイッチレバー２９０と係合していない状態である。
【００５７】
その状態において、いまだピストン３０は往復運動しているので、図１４Ａ、Ｂにおいて屹立した状態の第２検知受け部２１２における他端部２１２ｂは、その後図１６Ａ、Ｂにおいて、ピストン連動部２５０におけるリコイルプレート６１と係合する。上記のとおりそのリコイルプレート６１は、−ｘ方向から＋ｘ方向に往復運動しているので、第２検知受け部２１２は、そのリコイルプレート６１と係合し、第２検知受け部２１２における他端部２１２ｂは、さらにｘｚ平面上において、時計回りに回転するように作動する。すなわちいまだ通電が切断されていないために、モータ２２が回転し、ピストン３０が往復運動を続けている状態であるが、そのピストン３０の往復運動に追従するピストン連動部２５０によって、第２検知受け部２１２における他端部２１２ｂが、さらにｘｚ平面上において、時計回りに回転する。なお、バネ２１４は、第２検知受け部２１２を反時計回りに付勢している（図１６Ａ、Ｂ参照）。
【００５８】
これによって、第２検知受け部２１２における一端部２１２ｃもさらに、ｘｚ平面上において、時計回りに回転する。さらに時計回りに回転した検知受け部２１０における第２検知受け部２１２の一端部２１２ｃは、スイッチ切断部２７０と係合してそのスイッチ切断部２７０を作動させる。また、そのスイッチ切断部２７０の作動により、そのスイッチ切断部２７０が、スイッチ２０１の接触を断つ、すなわち、スイッチ２０１を切断するものである（図１４Ａ、図１５、１６Ａ、Ｂ、図１７参照）。
【００５９】
これをさらに説明すると、まず、スイッチ切断部２７０は、ラッチ２７１とストッププレート２８０と、スイッチレバー２９０を有するものである。また、ラッチバネ２７２は、ラッチ２７１を時計回りに付勢している。このような構成で、第２検知受け部２１２における一端部２１２ｃは、スイッチ切断部２７０におけるラッチ２７１と係合し、その一端部２１２ｃは、ラッチバネ２７２の時計回りの付勢力に反して、ラッチ２７１を反時計回りに回転させる（図１４Ａ、図１５、図１６Ａ、Ｂ、図１７参照）。
【００６０】
ラッチ２７１はラッチ凸部２７１ａを有し、そのラッチ凸部２７１ａと係合しているストッププレート２８０は、ストッププレートバネ２８１によって、-ｘ方向に付勢されている。よって、ラッチ２７１を反時計回りに回転させたことで、そのラッチ２７１におけるラッチ凸部２７１ａとの係合が解かれたストッププレート２８０は、-ｘ方向に移動する。図１７は、図１６Ａ、Ｂの状態において、電動ガン１０の銃口を右方に向けた状態の側面図である。図１５と図１７とを対比することによって、ストッププレート２８０は、-ｘ方向に移動していることが理解できる。
【００６１】
ストッププレート２８０が、−ｘ方向に移動することによって、スイッチレバー２９０におけるスイッチレバー一端部２９１を押し下げ、スイッチレバー他端部２９２を、スイッチレバー軸部２９３を軸にして＋ｙ方向に引き上げる。そのときに、スイッチレバー軸部２９３に取り付けられた凸部２９４が回転し、スイッチ２０１における第１接点部２０１ａを持ち上げ、スイッチ２０１における第２接点部２０１ｂとの接触を断つ。これにより、モータ２２への通電が阻止され、カラ撃ちを防止することができる（図１７参照）。すなわち、検知受け部２１０が、スイッチ切断部２７０を作動させて、そのスイッチ切断部２７０がスイッチ２０１を切断するというものである。なお、スイッチレバー２９０は、スイッチレバー一端部２９１と、スイッチレバー他端部２９２とを有しそれらの挟角である頂角が鈍角のほぼ２等辺三角形状を呈している。なお、スイッチレバーバネ２９０ａは、スイッチレバー２９０を図１７において反時計回りに付勢している。これにより、弾丸Ｇが弾倉部５００内に配置されている状態または、カラ撃ち防止機能停止装置３６０が機能している場合において、そのスイッチ２０１における第１接点部２０１ａを押し下げ、スイッチ２０１における第２接点部２０１ｂとの接触を確実なものとしている。
【００６２】
このように従来であれば専用の電動ガンにおける機械式通電停止装置を設置したメカボックスを使う必要があったが、カラ撃ち防止装置をいわゆるメカボックスから独立したものとして設置することができるので、電動ガンの外形を問わずスペースのある部分にこの装置を設置することで既存のメカボックスを使用することができる。よって、弾丸Ｇが撃ち終わって、弾倉内の弾丸Ｇが、カラになった状態において、使用者がトリガ２０を引き続けていたとしても、いわゆるカラ撃ちを防止する効果を奏することができる。なお、弾倉部を有しない電動ガンにおいては、その電動ガンの本体に、弾丸検知装置と同様の構成を有することで、カラ撃ちを防止する効果を奏することができる。
【００６３】
なお、この状態のままでは、ストッププレート２８０と、スイッチレバー２９０との上記の作用によって、スイッチ２０１における第１接点部２０１ａを持ち上げ、スイッチ２０１における第２接点部２０１ｂとの接触が断たれた状態である（図１７参照）。従って、スイッチ２０１における第１接点部２０１ａと、第２接点部２０１ｂとを再び接触させるために、ボルト部２９５を、＋ｘ方向に引く。図示しない使用者が、ボルト部２９５を引いて、一定のストロークを経てそのボルト部２９５はストッププレート２８０と係合する。ボルト部２９５と係合したストッププレート２８０は、ストッププレートバネ２８１によって、-ｘ方向に付勢されているために、この付勢力に抗してボルト部２９５を、＋ｘ方向に引くことになる（図１８参照）。
【００６４】
図１９は、図１８の状態において銃口を左方向に向けた状態の拡大底面図である。なお、あらかじめ弾丸Ｇを充填した弾倉部５００を電動ガン１０にセットし、上記のとおりボルト２９５を＋ｘ方向に引くと、ストッププレート２８０も、＋ｘ方向に移動し、再びラッチ２７１と係合し、ストッププレートバネ２８１に抗して、その位置にそのストッププレート２８０は、留まる。スイッチ２０１における第１接点部２０１ａを押し下げ、スイッチ２０１における第２接点部２０１ｂと接触する（図１８、１９参照）。その後トリガ２０を引けば、再び弾丸Ｇを発射することができる。なお、本実施例においては、リコイルショック発生機構５０を具備するものであるが、この機構を有しない場合であっても、そのピストン３０の往復運動に追従するピストン連動部２５０を配置するか、ピストン３０そのものを、ピストン連動部２５０として、実施することも可能である。
【符号の説明】
【００６５】
１０  電動ガン
１５  機関部
１６  筐体
２０  トリガ
２１  第１接点
２２  モータ
２３  モータギア
２４  ベベルギア
２５  ギア
２６  セクタギア
３０  ピストン
３１  ラック部
３２  スプリング
５０  リコイルショック発生機構
５１  ピストン係合部
５２  リコイルウエイト
５３  リコイルスプリング
５４  先端部
６０  リコイルバー
６１  リコイルプレート
２００  カラ撃ち防止装置
２０１  スイッチ
２０２  通電停止部
２５０  ピストン連動部
２７０  スイッチ切断部
３００  弾丸検知装置
３００Ａ  第２弾丸検知装置
３００Ｂ  第３弾丸検知装置
３０１  検知係合部
３０２  第２検知係合部
３１０  検知移動部
３１０Ａ  第２検知移動部
３１０Ｂ  第３検知移動部
３１１  検知被係合部
３１２  検知押し出し部
３１３  検知軸部  
３２０  検知スプリング
３５０  検知突部  
３５０Ｂ  第３検知突部
３５１  フォロワーリンク部
３５２  フォロワーリンク配置部
３６０  カラ撃ち防止機能停止装置
３６０Ａ  第２カラ撃ち防止機能停止装置
３６１  機能停止係合部
３６５  位置係合部
３６７  第２機能停止係合部
５００  弾倉部
５０１  弾倉本体部
５０２  弾丸配置部
５０３  開口部
５０５  マガジンスプリング
５１０  フォロワー部
５１１  第１フォロワー
５１２  第２フォロワー
５１３  第３フォロワー
Ｇ  弾丸
【図１】
2019058526.tif 000003
【図２】
2019058526.tif 000004
【図３】
2019058526.tif 000005
【図４】
2019058526.tif 000006
【図５Ａ】
2019058526.tif 000007
【図５Ｂ】
2019058526.tif 000008
【図６】
2019058526.tif 000009
【図７】
2019058526.tif 000010
【図８】
2019058526.tif 000011
【図９】
2019058526.tif 000012
【図１０】
2019058526.tif 000013
【図１１】
2019058526.tif 000014
【図１２】
2019058526.tif 000015
【図１３Ａ】
2019058526.tif 000016
【図１３Ｂ】
2019058526.tif 000017
【図１４Ａ】
2019058526.tif 000018
【図１４Ｂ】
2019058526.tif 000019
【図１５】
2019058526.tif 000020
【図１６Ａ】
2019058526.tif 000021
【図１６Ｂ】
2019058526.tif 000022
【図１７】
2019058526.tif 000023
【図１８】
2019058526.tif 000024
【図１９】
2019058526.tif 000025
【国際調査報告】
2019058526.tif 000026
2019058526.tif 000027
2019058526.tif 000028